(57)【要約】【課題】  本発明の課題は、医療従事者がクリニカルパスの作成を効率的に行えるようにすることを目的とする。【解決手段】  上記課題は、入院の際のクリニカルパスの作成支援プログラムにおいて、非入院時の患者に適用する複数の医療行為の組の入力に応じて、該複数の医療行為の組を記憶手段に記憶し、前記記憶手段に記憶されたいずれかの医療行為の組の指定を受け付け、受け付けた該医療行為の組を一部又は全部として取り込んだクリニカルパスを前記患者又は前記患者とは異なる患者について作成する、処理をコンピュータに実行させるクリニカルパスの作成支援プログラムにより達成される。【選択図】  図９
2014085731.tif 000002
【特許請求の範囲】
【請求項１】
入院の際のクリニカルパスの作成支援プログラムにおいて、
非入院時の患者に適用する複数の医療行為の組の入力に応じて、該複数の医療行為の組を記憶手段に記憶し、
前記記憶手段に記憶されたいずれかの医療行為の組の指定を受け付け、
受け付けた該医療行為の組を一部又は全部として取り込んだクリニカルパスを前記患者又は前記患者とは異なる患者について作成する、
処理をコンピュータに実行させることを特徴とするクリニカルパスの作成支援プログラム。
【請求項２】
前記作成する際に、クリニカルパスの作成を支援するパス画面から前記医療行為の組を展開する指示を検出すると、前記記憶手段に記憶された前記医療行為の組を、該医療行為の組内でスケジュールされる該医療行為の各日付を該展開を指示する際に指定された基準日に基づいて調整してセット情報を作成し、
作成した前記セット情報を受信すると、前記パス画面に表示されたカレンダに、前記医療行為を前記基準日から開始して日毎に展開して該カレンダの表示を更新する
処理をコンピュータに実行させることを特徴とする請求項１記載のパス作成支援プログラム。
【請求項３】
前記パス画面に表示された前記カレンダの開始日から２病日目以降の日付への前記基準日の変更を検出すると、スケジュールされる前記医療行為の開始日を前記表示されている該カレンダの２病日目以降に変更された基準日に設定して、該スケジュールに従って該医療行為を該基準日から日毎に展開する
処理を前記コンピュータに実行させることを特徴とする請求項２記載のパス作成支援プログラム。
【請求項４】
前記基準日を前記医療行為の組のスケジュールにおける開始日に設定して、該スケジュールに従って各医療行為の日付をずらし、
前記医療行為の組から１部分を選択した展開指示を検出すると、該選択された医療行為の組の１部分を前記スケジュールに従って前記カレンダに日毎に展開する
処理を前記コンピュータに実行させることを特徴とする請求項２又は３記載のパス作成支援プログラム。
【請求項５】
コンピュータによって実行されるパス作成支援方法であって、
入院の際のクリニカルパスの作成支援プログラムにおいて、
非入院時の患者に適用する複数の医療行為の組の入力に応じて、該複数の医療行為の組を記憶手段に記憶し、
前記記憶手段に記憶されたいずれかの医療行為の組の指定を受け付け、
受け付けた該医療行為の組を一部又は全部として取り込んだクリニカルパスを前記患者又は前記患者とは異なる患者について作成する、
ことを特徴とするパス作成支援方法。
【請求項６】
非入院時の患者に適用する複数の医療行為の組の入力に応じて、該複数の医療行為の組を記憶する記憶手段と、
前記記憶手段に記憶されたいずれかの医療行為の組の指定を受け付ける受付手段と、
受け付けた該医療行為の組を一部又は全部として取り込んだクリニカルパスを前記患者又は前記患者とは異なる患者について作成する作成手段と
を有することを特徴とするパス作成支援装置。
【発明の詳細な説明】
【技術分野】
【０００１】
本発明は、医療従事者が効率的にパスの作成を行えるようにしたパス作成支援プログラム、方法、及び装置を提供することに関する。
【背景技術】
【０００２】
近年、医療現場において、様々な医療に係るシステムが導入されている。そのようなシステムでは、医療従事者によって作成された、患者の病気の治療や検査等を含む治療スケジュールをまとめたクリニカルパス（以下、単に「パス」と言う。）を管理することによって、医療従事者間による診療のばらつきを少なくし患者に対する医療の標準化が行われるようになってきた。患者に対する治療スケジュールは、患者が入院してからの食事、処理、検査、治療、それらの準備等の項目がカレンダに対応付けられたものである。
【０００３】
所定の症状に対して医療従事者が行った各医療行為によりその症状が治癒した程度を示す治癒指数の平均値に基づいて、同一の症状に対して選定したクリニカルパスで規定する治癒の期待指数の妥当性を模擬評価する等の技術が知られている。
【先行技術文献】
【特許文献】
【０００４】
【特許文献１】特開２００９−２４４９８０号公報
【発明の概要】
【発明が解決しようとする課題】
【０００５】
しかしながら、上述した技術は、既に作成されたパスに対して妥当性を模擬評価するものであり、項目が多岐にわたるパスを新たに作成する際の医療従事者の労力を軽減することはできていなかった。
【０００６】
よって、医療従事者が効率的にパスの作成を行えるようにすることが課題となっている。
【課題を解決するための手段】
【０００７】
本実施例の一態様によれば、パス作成支援プログラムであって、入院の際のクリニカルパスの作成支援プログラムにおいて、非入院時の患者に適用する複数の医療行為の組の入力に応じて、該複数の医療行為の組を記憶手段に記憶し、前記記憶手段に記憶されたいずれかの医療行為の組の指定を受け付け、受け付けた該医療行為の組を一部又は全部として取り込んだクリニカルパスを前記患者又は前記患者とは異なる患者について作成する、処理をコンピュータに実行させる。
【０００８】
また、上記課題を解決するための手段として、コンピュータが上記処理を行うパス作成支援方法、パス作成支援装置、及び、上記パス作成支援プログラムを記録した記録媒体とすることもできる。
【発明の効果】
【０００９】
本実施例の一態様によれば、医療従事者が効率的にパスの作成を行えるようにすることができる。
【図面の簡単な説明】
【００１０】
【図１】パス作成支援装置のハードウェア構成を示す図である。
【図２】パス作成支援装置の機能構成例を示す図である。
【図３】パス画面作成処理を説明するためのフローチャート図である。
【図４】第１セット展開選択処理を説明するためのフローチャート図である。
【図５】第２セット展開選択処理を説明するためのフローチャート図である。
【図６】表示更新処理を説明するためのフローチャート図である。
【図７】パス作成時のパス画面を示す図である。
【図８】セット展開部による初期表示例を示す図である。
【図９】全文書展開ボタンの選択によるセット展開例を説明するための図である。
【図１０】文書一覧上の右クリックメニューの全文書展開の選択によるセット展開例を説明するための図である。
【図１１】基準日の選択方法を説明するための図である。
【図１２】選択文書の展開を説明するための図である。
【図１３】セットからパス展開時のチェック処理を説明するための図である。
【図１４】患者固有データの削除処理を説明するための図である。
【図１５】新規パス保存時の初期化チェック処理を説明するための図である。
【図１６】セットインデックスＤＢ及びセットＤＢのデータ構成例を示す図である。
【図１７】展開制限マスタＤＢのデータ構成例を示す図である。
【図１８】判断マスタＤＢのデータ構成例を示す図である。
【図１９】パスマスタインデックスＤＢ及びパスマスタＤＢのデータ構成例を示す図である。
【発明を実施するための形態】
【００１１】
以下、本発明の実施の形態を図面に基づいて説明する。病院等では、医師が、個々の患者に対するクリニカルパス（以下、単に「パス」と言う。）を作成する前に、予め、標準的なパスのひな型を作成することが行われている。本実施例では、パスのひな型の作成を効率的に行う仕組みを提供する。
【００１２】
パスの作成とは、患者を治療することを目的とした医療行為をスケジュールすることであるが、そのようなパスとは別に、医師が患者の病気を治療するための複数の医療行為をまとめたセットと呼ばれるものがある。セットによって、1以上の医療行為がスケジュールされている。本実施例に係るパス作成支援装置は、複数の医療行為が含まれるパスを既存のセットを流用することで効率よく作成する。
【００１３】
本実施例に係るパス作成支援装置は、図１に示すようなハードウェア構成を有する。図１は、パス作成支援装置のハードウェア構成を示す図である。図１において、パス作成支援装置１００は、コンピュータによって制御される端末であって、ＣＰＵ（Central Processing Unit）１１と、主記憶装置１２と、補助記憶装置１３と、入力装置１４と、表示装置１５と、出力装置１６と、通信Ｉ／Ｆ（インターフェース）１７と、ドライブ１８とを有し、バスＢに接続される。
【００１４】
ＣＰＵ１１は、主記憶装置１２に格納されたプログラムに従ってパス作成支援装置１００を制御する。主記憶装置１２には、ＲＡＭ（Random Access Memory）等が用いられ、ＣＰＵ１１にて実行されるプログラム、ＣＰＵ１１での処理に必要なデータ、ＣＰＵ１１での処理にて得られたデータ等を格納する。また、主記憶装置１２の一部の領域が、ＣＰＵ１１での処理に利用されるワークエリアとして割り付けられている。
【００１５】
補助記憶装置１３には、ハードディスクドライブが用いられ、各種処理を実行するためのプログラム等のデータを格納する。補助記憶装置１３に格納されているプログラムの一部が主記憶装置１２にロードされ、ＣＰＵ１１に実行されることによって、各種処理が実現される。記憶部１３０は、主記憶装置１２及び／又は補助記憶装置１３を有する。
【００１６】
入力装置１４は、マウス、キーボード等を有し、医療従事者等のユーザがパス作成支援装置１００による処理に必要な各種情報を入力するために用いられる。表示装置１５は、ＣＰＵ１１の制御のもとに必要な各種情報を表示する。出力装置１６は、プリンタ等を有し、ユーザからの指示に応じて各種情報を出力するために用いられる。通信Ｉ／Ｆ１７は、例えばインターネット、ＬＡＮ（Local Area Network）等に接続し、外部装置との間の通信制御をするための装置である。通信Ｉ／Ｆ１７による通信は無線又は有線に限定されるものではない。 
パス作成支援装置１００によって行われる処理を実現するプログラムは、例えば、ＣＤ−ＲＯＭ（Compact Disc Read-Only Memory）等の記憶媒体１９によってパス作成支援装置１００に提供される。即ち、プログラムが保存された記憶媒体１９がドライブ１８にセットされると、ドライブ１８が記憶媒体１９からプログラムを読み出し、その読み出されたプログラムがバスＢを介して補助記憶装置１３にインストールされる。そして、プログラムが起動されると、補助記憶装置１３にインストールされたプログラムに従ってＣＰＵ１１がその処理を開始する。尚、プログラムを格納する媒体としてＣＤ−ＲＯＭに限定するものではなく、コンピュータが読み取り可能な媒体であればよい。コンピュータ読取可能な記憶媒体として、ＣＤ−ＲＯＭの他に、ＤＶＤディスク、ＵＳＢメモリ等の可搬型記録媒体、フラッシュメモリ等の半導体メモリであっても良い。
【００１７】
図２は、パス作成支援装置の機能構成例を示す図である。図２において、パス作成支援装置１００は、パス作成部４０と、セット展開部９とを有する。記憶部１３０には、セットインデックスＤＢ３１、セットＤＢ３２、展開制限マスタＤＢ３３、判断マスタＤＢ３４、パスマスタインデックスＤＢ３５、パスマスタＤＢ３６等が格納される。
【００１８】
パス作成部４０は、既存のセットを用いてパスを新たに作成する処理部であり、更に、パス画面作成部４１と、選択部４２と、表示更新部４３とを有する。
【００１９】
パス画面作成部４１は、医師等の医療従事者、即ち、ユーザがパスを作成するためのパス画面を作成して表示装置１５に表示する処理部である。
【００２０】
選択部４２は、ユーザがパス画面から直接セット展開をするための選択手段をパス画面に提供し、パス画面からセット展開が選択されることによってセット展開指示を検出した場合、セット展開部９を起動する処理部であり、更に、第１セット展開選択部４２ａと、第２セット展開選択部４２ｂとを有する。
【００２１】
第１セット展開選択部４２ａは、ユーザによるパス画面内のセット展開ボタンの選択によるセット展開指示を検出し、セット展開部９を起動する処理部である。第２セット展開選択部４２ｂは、パス画面上の右クリックで表示されるメニューからセット展開項目を選択可能とし、ユーザのセット展開項目の選択によって、セット展開指示を検出し、セット展開部９を起動する処理部である。
【００２２】
表示更新部４３は、セット展開部９からの終了通知に応じて、パス画面内の医療スケジュールの表示を更新する処理部である。
【００２３】
セット展開部９は、ユーザによるセットＤＢ３２で管理されるセットの選択を可能とし、選択されたセットの全部又は一部をパス画面に展開可能なように日付を調整したセット情報を作成して、表示更新部４３に受け渡す処理部である。
【００２４】
セットインデックスＤＢ３１は、各セットを検索して抽出するためのインデックスを格納したデータベースである。セットＤＢ３２では、セットインデックスＤＢ３１のインデックスで関連付けられるセット毎に、伝票毎の医療行為を示し、そのセット内で医療行為がスケジュールされた状態で格納されている。異なる医療行為は異なる伝票名で管理される。
【００２５】
展開制限マスタＤＢ３３は、各伝票に対して、パス作成不可と、セットからのパス作成不可の設定を管理するデータベースである。判断マスタＤＢ３４は、セット内のオーダ伝票に記載される診療内容のうち、パスへの展開の際に削除するデータキーを管理するデータベースである。削除対象となるデータキーは、患者固有データの識別情報であり、患者固有データは、患者に対して医療行為を実施する際に参照される付加的な情報である。データキーは、後述される文書ＸＭＬデータ内のタグ名に相当する。
【００２６】
パスマスタインデックスＤＢ３５は、各パスを検索して抽出するためのインデックスを格納したデータベースである。パスマスタＤＢ３６は、パス画面を利用して作成されたパスを格納したデータベースであり、パスマスタインデックスＤＢ３５のインデックスで関連付けられる。各パスでは、適用したカレンダにセット毎の複数の診療内容が展開されている。
【００２７】
以下に、各処理部による処理についてフローチャート図で説明する。先ず、パス画面作成部４１によるパス画面作成処理について図３で説明する。図３は、パス画面作成処理を説明するためのフローチャート図である。
【００２８】
図３において、パス画面作成部４１は、記憶部１３０の所定記憶領域から予め設定されたパス画面の縦軸方向に表示する伝票名を示すデフォルト縦軸を読み込み（ステップＳ１１）、パスパラメータを編集する（ステップＳ１２）。
【００２９】
パス画面作成部４１は、記憶部１３０に格納された初期設定でセット展開が有効に指定されているか否かを判断する（ステップＳ１３）。セット展開が有効に指定されていない場合、パス画面作成部４１は、ステップＳ１５へと進む。一方、パス画面作成部４１は、セット展開フラグ６ｆをＯＮに設定し、パス外観ＸＭＬデータ６ａ内にセット展開タグを作成する（ステップＳ１４）。
【００３０】
パス画面作成部４１は、記憶部１３０に予め用意したパス画面用のスタイルシート６ｂを用いて、パス外観ＸＭＬデータ６ａからＨＴＭＬによるパス画面を作成する（ステップＳ１５）。スタイルシート６ｂによるＸＭＬからＨＴＭＬへの変換によって得られたパス画面データ６ｃが記憶部１３０に格納される。そして、パス画面作成部４１は、パス画面データ６ｃによって表示装置１５にパス画面を表示すると共に、パス画面内にカレンダを表示する（ステップＳ１６）。
【００３１】
上述より、パス画面作成処理では、スタイルシート６ｂで、＜DOSET＞タグがパス外観ＸＭＬデータ６ａに存在する場合に、セット展開ボタンを表示するようにＨＴＭＬに変換することによってパス画面データ６ｃが作成されるため、パス画面のプログラムの変更、修正等が発生しない。
【００３２】
第１セット展開選択部４２ａによる第１セット展開選択処理を図４で説明する。図４は、第１セット展開選択処理を説明するためのフローチャート図である。図４において、第１セット展開選択部４２ａは、表示装置１５に表示されたパス画面からセット展開ボタンのクリックによるパス展開指示を検出すると（ステップＳ２１）、セット展開部９の起動パラメータにシステム日付を設定して、セット展開部９を起動し（ステップＳ２２）、この処理を終了する。
【００３３】
第２セット展開選択部４２ｂによる第２セット展開選択処理を図４で説明する。図５は、第２セット展開選択処理を説明するためのフローチャート図である。図５において、第２セット展開選択部４２ｂは、パス画面上でマウス操作による右クリックを検知すると（ステップＳ３１）、セット展開フラグ６ｆがＯＮか否かを判断する（ステップＳ３２）。セット展開フラグ６ｆがＯＮでない場合、第２セット展開選択部４２ｂは、この処理を終了する。
【００３４】
一方、セット展開フラグ６ｆがＯＮの場合、第２セット展開選択部４２ｂは、右クリックメニューに「セット展開」項目と、パス画面内にセット展開ボタンとを表示する（ステップＳ３３）。そして、第２セット展開選択部４２ｂは、セット展開が選択されたか否かを判断する（ステップＳ３４）。セット展開が選択されなかった場合、第２セット展開選択部４２ｂは、この処理を終了する。
【００３５】
一方、セット展開が選択された場合、即ち、セット展開指示を検出すると、セット展開部９の起動パラメータにクリックされたカレンダ内の日付を指定して、セット展開部９を起動する（ステップＳ３５）。
【００３６】
表示更新部４３による表示更新処理を図６で説明する。図６は、表示更新処理を説明するためのフローチャート図である。図６において、表示更新部４３は、セット展開部９からセット展開の終了通知を受信すると（ステップＳ４１）、セット展開部９から通知されたセット情報をカレンダに表示する（ステップＳ４２）。セット情報によって、ユーザによって指定された、後述する全文書又は選択文書による複数の医療行為が示される。
【００３７】
以下に、セット展開の処理例について画面遷移で説明する。図７は、パス作成時のパス画面を示す図である。図７において、パス画面Ｇ５０は、パス画面作成部４１によって作成されるパス作成時の初期画面である。
【００３８】
図７において、パス画面Ｇ５０には、縦軸項目５０ａ、カレンダ５０ｂ、セット展開ボタン５０ｃ等が表示される。縦軸項目５０ａには、パス作成の初期には標準的な医療行為に対応付けられる伝票名をディレクトリ構造で一覧にしたデフォルト縦軸が表示される。カレンダ５０ｂには、パス作成時の現在日時に対して所定期間の日数が表示される。ここでは、１病日、２病日、３病日、・・・で示す。セット展開ボタン５０ｃは、ユーザによるクリックに応じて、セット展開部９を起動するためのボタンである。
【００３９】
ユーザは、セット展開部９を起動する他の方法として、マウスで所望の日付上で右クリックしてセット展開部９を起動することもできる。ユーザがカレンダ５０ｂの２病日目で右クリックすると、右クリックメニュー５０ｄがパス画面作成部４１によって表示される。右クリックメニュー５０ｄは「セット展開」項目５０ｅを含む。ユーザがこの「セット展開」項目５０ｅを選択すると、セット展開部９が起動される。
【００４０】
セット展開ボタン５０ｃのクリックによってセット展開部９を起動する場合と、右クリックメニュー５０ｄからセット展開部９を起動する場合とにおいて、システム日付とセット展開時のカレンダの日付とに対応の関係について以下に説明する。システム日付とは、現在の日付を示し、パス作成支援装置１００のシステム内の時刻である。
【００４１】
セット展開ボタン５０ｃのクリックによって起動されたセット展開部９による初期表示例を図８で説明する。図８は、セット展開部による初期表示例を示す図である。図８において、セット展開ボタン５０ｃのクリックに応じて、パス画面Ｇ５０上にセット展開画面Ｇ５１が表示されている。
【００４２】
セット展開画面Ｇ５１では、全文書展開ボタン７ａ、基準日選択ボタン７ｂ、選択文書展開ボタン７ｃ、セット一覧５１ａ、文書一覧５１ｂ等が表示される。
【００４３】
各医療行為は、医療行為となる処方、検査等の種別毎に、各日で実施される内容が指定された文書で指示される。１セットには、１回数以上、１種別以上による医療行為が含まれる。１回数かつ１種別で１つの医療行為の単位とし、１文書で医療行為の内容が指定される。同じ種別で、医療行為が朝昼晩とスケジュールされれば、３文書作成される。同じ種別で、１日一回の医療行為で２日間スケジュールされれば、２文書作成される。
【００４４】
全文書展開ボタン７ａは、セット一覧５１ａから選択されたセットに含まれる医療行為全てをパスに展開するためのボタンである。基準日選択ボタン７ｂは、ユーザによって日付選択を可能とするためのボタンである。選択文書展開ボタン７ｃは、選択したセット内から選択した医療行為をパスに展開するためのボタンである。
【００４５】
セット一覧５１ａは、ユーザに関する利用者条件の初期展開設定に基づきセット名が一覧表で示され、各セットはユーザによって選択可能である。セット一覧５１ａには、ユーザ自身によって過去に作成されたセット、他のユーザ間で共通に利用されるセット等の既存のセットが一覧で表示される。
【００４６】
文書一覧５１ｂは、セット一覧５１ａからユーザによって選択されたセットに含まれる１以上の医療行為の内容を示した文書が、過去にスケジュールされた日付順に一覧で示される。
【００４７】
セット展開ボタン５０ｃのクリックでは、システム日付が基準日として設定される。ここでは、システム日付が２０１１年９月２日である場合のカレンダ画面Ｇ５２が表示されている。このカレンダ画面Ｇ５２を利用して、ユーザは、日付をマウス等を用いて選択し、確定ボタンをクリックすることにより、システム日付以外の日付を基準日に設定することができる。
【００４８】
パス画面Ｇ５０のセット展開ボタン５０ｃからセット展開部９の起動後、セット展開画面Ｇ５１から全文書展開ボタン７ａを選択してセット展開する場合について図９で説明する。図９は、全文書展開ボタンの選択によるセット展開例を説明するための図である。
【００４９】
図９にて、セット展開ボタン５０ｃのクリックに応じて表示されたセット展開画面Ｇ５１では、日付３ａ、３ｂ、及び３ｃでは、基準日に基づいて各文書内の日付が変更される。複数の文書内の日付のうち、一番古い日付に基準日が設定され、他の日付は、基準日に一番古い日付からの相対日を加算して計算される。システム日付「2011/09/03」が基準日となる場合、各文書内の日付３ａ、３ｂ、及び３ｃは、「2011/09/03」、「2011/09/04」、「2011/09/05」に変更される。一番古い日付は、セット内でスケジュールされた医療行為の開始日に相当する。
【００５０】
セット展開画面Ｇ５１において、ユーザが、全文書展開ボタン７ｃを選択、又は、文書一覧５１ｂ内の右クリックで表示されるメニュー５１ｄから「全文書展開」項目５１ｅを選択することによって、指示カレンダＧ５２が表示される。
【００５１】
指示カレンダＧ５２では、文書一覧５１ｂの内容に基づいて、同一伝票名（図９では、「入院一般注射」）に関して、手技、薬品、用法等の指示内容に対応付けて、基準日の日付から開始されたスケジュール５２ｓが示される。同一伝票名を示す複数の文書が１つのオーダ５２ａで示される。
【００５２】
この例では、オーダ５２ａによって、手技、薬品、用法の各項目に対して、「持続点滴末梢  メイン」、「ソリターＴ１号２００ｍＬ」、「１日１回」の指示内容で、９／３（土）、９／４（日）、及び９／５（月）の三日間のスケジュールで医療行為が行われることが示される。
【００５３】
指示カレンダＧ５２では、ユーザが、処方、処置、検査等の内容及びスケジュール５２ｓを確認した後、確定ボタン５２ｂをクリックすることによりセット展開が実行され、セット展開部９での処理が終了する。
【００５４】
パス画面作成部４１によって表示されたパス画面Ｇ５０のカレンダ５０ｂにおいて、１病日に文書一覧５１ｂの日付「2011/09/03」の内容、２病日に文書一覧５１ｂの日付「2011/09/04」の内容、３病日に文書一覧５１ｂの日付「2011/09/05」の内容が順次展開される。ユーザの詳細表示の指示に応じて、更に、各文書内容の詳細を表示し確認することも可能である。
【００５５】
セット展開画面Ｇ５１の文書一覧５１ｂ上で右クリックに応じて表示されるメニュー５１ｄから「全文書展開」項目５１ｅを選択してセット展開する場合について、図１０で説明する。図１０は、文書一覧上の右クリックメニューの全文書展開の選択によるセット展開例を説明するための図である。
【００５６】
図１０にて、パス画面Ｇ５０のカレンダ５０ｂの日付を右クリックで選択すると表示される右クリックメニュー５０ｄから「セット展開」項目５０ｅが選択されると、セット展開画面Ｇ５１が表示装置１５に表示される。ここでは、１病日に対応するシステム日付（現在の日付）が2011/09/02であるのに対して、ユーザによって２病日目が選択された例を示している。２病日目即ち2011/09/03が基準日として設定される。
【００５７】
セット展開画面Ｇ５１では、基準日「2011/09/03」に基づいて各文書内の日付が変更される。日付の変更方法は、図９と同様であるのでその説明を省略する。
【００５８】
セット展開画面Ｇ５１において、ユーザが、文書一覧５１ｂ内の右クリックで表示されるメニュー５１ｄから「全文書展開」項目５１ｅを選択することによって、指示カレンダＧ５２が表示される。指示カレンダＧ５２では、文書一覧５１ｂの内容に基づいて、手技、薬品、用法等の指示内容に対応付けて、基準日の日付から開始されたスケジュールが示され、確定ボタン５２ｂをクリックされることによりセット展開が実行されて、セット展開部９での処理が終了する。
【００５９】
セット展開画面Ｇ５１の表示後に基準日を選択する場合について図１１で説明する。図１１は、基準日の選択方法を説明するための図である。図１１において、ユーザが、セット展開画面Ｇ５１の基準日選択ボタン７ｂをクリック、又は、セット展開画面Ｇ５１の文書一覧５１ｂ上で右クリックにより表示されるメニュー５１ｄの「基準日選択」項目５１ｆをクリックすることにより、指示カレンダＧ５２が表示される。
【００６０】
指示カレンダＧ５２では、基準日のデフォルトとなるシステム日付「2011/09/02」が視覚的に分かるように表示されている。ユーザが、「2011/09/03」を基準日として選択すると、文書一覧５１ｂが表示装置１５に表示される。文書一覧５１ｂの複数の文書内の各日付が選択された基準日に従って変更されて表示される。ユーザが、文書一覧５１ｂ上の右クリックによるメニュー５１ｄの「全文書選択」項目５１ｅを選択すると、ユーザが選択した基準日に従ってセット展開される。
【００６１】
セット展開画面Ｇ５１の文書一覧５１ｂからの選択文書の展開について図１２で説明する。図１２は、選択文書の展開を説明するための図である。図１２において、ユーザが、セット展開画面Ｇ５１の選択文書展開ボタン７ｃ、又は、セット展開画面Ｇ５１の文書一覧５１ｂ上の右クリックで表示されるメニュー５１ｄから「選択書展開」項目５１ｇを選択することによって、選択した文書で指定される伝票名に対応する画面Ｇ５３が表示装置１５に表示される。
【００６２】
この例では、選択した文書の伝票名「一般撮影」に対応する画面Ｇ５３が表示され、検査日５３ａは、基準日から計算された「2011/09/05」となる。ユーザが画面Ｇ５３内の確定ボタン５３ｂをクリックすることによって、医療行為の内容を示す選択された文書が、パス画面Ｇ５０のカレンダ５０ｂに展開される。
【００６３】
次に、セット展開時にセット展開部９によって行われる種々のチェック処理について図１３から図１４で説明する。図１３は、セットからパス展開時のチェック処理を説明するための図である。図１３において、セット展開部９が、セット展開画面Ｇ５１の文書一覧５１ｂから選択された文書を展開する際に行うチェック処理の例が示されている。複数のチェック処理によって、パスの作成が不可となる医療行為が、選択された文書で指定されているか否かを判断する。伝票名８ａ、８ｂ、８ｃ、・・・等のうち選択された文書の伝票名がチェック対象となる。選択されたセット「注射とレントゲン」には、伝票名８ａの「検体検査」、伝票名８ｂの「入院処方」、伝票名８ｃの「入院一般注射」に加えて、「ＮＴＳ介入依頼」、「転科」、「入院処方」等の他の伝票が含まれスケジュールされているとする。
【００６４】
第１のチェック処理では、選択された文書に、パス画面Ｇ５０の縦軸項目５０ａに項目として登録されていない伝票名が指定されているか否かをチェックする。指定されている場合は、「次の伝票は縦軸に登録がないため、展開できません。◆ＮＳＴ介入依頼」等の警告メッセージ５４ａを含む警告画面Ｇ５４が表示される。警告メッセージ５４ａでは、展開できない伝票名「ＮＳＴ介入依頼」が示される。
【００６５】
第２のチェック処理では、選択された文書に、展開制限マスタＤＢ３３にパス作成不可フラグが設定されている伝票名が指定されているか否かをチェックする。指定されている場合は、「次の伝票はパス作成では使用できないため、展開できません。◆転科」等の警告メッセージ５４ｂを含む警告画面Ｇ５４が表示される。警告メッセージ５４ｂでは、展開できない伝票名「転科」が示される。
【００６６】
第３のチェック処理では、選択された文書に、展開制限マスタＤＢ３３にセット展開不可フラグが設定されている伝票名が指定されているか否かをチェックする。指定されている場合は、「次の伝票はセットからパス作成には使用できないため、展開できません。◆入院処方」等の警告メッセージ５４ｃを含む警告画面Ｇ５４が表示される。警告メッセージ５４ｃでは、展開できない伝票名「入院処方」が示される。
【００６７】
パス画面Ｇ５０のカレンダ５０ｂへの警告メッセージ５４ａに表示された伝票を示す文書の展開は抑止され、他の伝票を示す文書がカレンダ５０ｂに展開される。
【００６８】
上記種々のチェック処理に加えて、セット展開部９によって、図１４に示されるような患者固有データの削除処理が行われる。図１４は、患者固有データの削除処理を説明するための図である。図１４において、セット展開画面Ｇ５１では、伝票名「一般撮影」の文書例を示している。この文書では、臨床診断「肝機能障害」の患者固有データ５１ｈと、妊娠「有」の患者固有データ５１ｉとが含まれている。いずれか一方であっても以下に説明する同様の処理が行われる。
【００６９】
ユーザによる右クリックで表示されるメニュー５１ｄから選択文書展開５１ｇが選択されると、セット展開部９は、判断マスタＤＢ３４を参照して、削除対象となるデータキーが選択された文書内に存在する場合、データキーの値を初期化した、選択した文書の伝票名「一般撮影」に対応する画面Ｇ５５を表示装置１５に表示する。
【００７０】
画面Ｇ５５が表示装置１５に表示される際に、患者固有データ５１ｈに対応する設定５５ｈと、患者固有データ５１ｉに対応する設定５５ｉとが初期化される。設定の無い状態、又は、デフォルト値へ初期化されることによって、データキーで特定される患者固有データが削除される。
【００７１】
患者固有データが削除された文書内容の一部５０ｊが、パス画面Ｇ５０のカレンダ５０ｂに展開される。ユーザによりカレンダ５０ｂから文書内容の一部５０ｊが選択されると、選択された文書内容全体を確認できる画面Ｇ５１−２が表示される。画面Ｇ５１−２では、設定の無い状態に初期化した患者固有データ５１ｈに関しては、項目自体が表示されず、また、デフォルト値へ初期化した患者固有データ５１ｉに関しては、デフォルト値が表示される。
【００７２】
上述したようなセット展開部９による処理によって得られた、パス画面Ｇ５０のカレンダ５０ｂに展開するために処理されたセットの全部又は一部であるセット情報は、セット展開部９による処理の通知によって、パス作成部４０の表示更新部４３に受け渡され、表示更新部４３によってパス画面Ｇ５０のカレンダ５０ｂが更新される。バッファを用いて、セット情報がセット展開部９から表示更新部４３へと受け渡される。
【００７３】
ユーザは、更新されたパス画面Ｇ５０のカレンダ５０ｂで診療スケジュールが確認できると、作成したパスを保存する。パスは、表示更新部４３によってパスマスタＤＢ３６に新規に追加され保存される。
【００７４】
表示更新部４３は、新規パスを保存する際に、初期化チェックを行う。図１５は、新規パス保存時の初期化チェック処理を説明するための図である。図１５において、ユーザが、カレンダ５０ｂが更新されたパス画面Ｇ５０の、新規パスを保存する保存ボタン５０ｋ又はプロセス情報を変更するためのパス情報ボタン５０ｐをクリックすると、表示更新部４３は、パスマスタＤＢ３６に保存した新規パスの文書内容に対してチェックを行う。文書内容に病名、血液型、身長、体重などの患者固有データが入力されている項目が残っているか否かがチェックされる。
【００７５】
初期化チェック処理において、患者固有データが残っていると判断された場合、チェック結果を示す画面Ｇ５６が表示装置１５に表示される。ユーザが、画面Ｇ５６の閉じるボタン５６ａをクリックすると、パス画面Ｇ５０の縦軸項目５０ａの該当伝票名に対応付けてエラー５０ｒが示される。ユーザが視認し易いように、該当伝票名がハイライトされて表示される。
【００７６】
次に、本実施例におけるデータベースのデータ構成例について、図１６から図１９で説明する。図１６は、セットインデックスＤＢ及びセットＤＢのデータ構成例を示す図である。
【００７７】
図１６において、セットインデックスＤＢ３１は、各セットへのインデックスを管理するデータベースであり、セット文書Ｎｏ．、オーダ、セット名、伝票コード、使用日時等の項目を有する。
【００７８】
セット文書Ｎｏ．は、セットＤＢ３２で管理される医療行為の内容を示す複数の文書を一つにまとめたセットを識別するための番号を示す。オーダは、過去に実施した医療行為の伝票番号を示す。オーダは、例えば、指示カレンダＧ５２のオーダ５２ａ（図１０）を特定する。
【００７９】
セット名は、セット展開画面Ｇ５１のセット一覧５１ａで表示されるセットを特定するための名称を示す。伝票コードは、医療行為を特定するコードであり、パス、セット、オーダ作成時等に使用される。各伝票コードに対応する伝票名は、別途他のデータベースで管理し、伝票コードで関連付ければよい。使用日時は、セットを使用した日時を示す。
【００８０】
また、セットＤＢ３２は、セット文書Ｎｏ．に対する、セット内でスケジュールされる医療行為の内容を示す文書を管理するデータベースであり、セット文書Ｎｏ．、伝票コード、文書ＸＭＬデータ等の項目を有する。セットインデックスＤＢ３１とセットＤＢ３２とは、セット文書Ｎｏ．によって関連付けられる。
【００８１】
セット文書Ｎｏ．は、セットインデックスＤＢ３１で管理されるセット文書Ｎｏ．と一致する番号を示す。伝票コードは、セットインデックスＤＢ３１のセット文書Ｎｏ．と組み合わされる伝票コードに一致する値を示す。セット文書Ｎｏ．と伝票コードとで文書が特定される。文書ＸＭＬデータは、スケジュールされた１日毎、１回毎の指示された診療内容を示す文書をＸＭＬで記載したデータである。
【００８２】
図１７は、展開制限マスタＤＢのデータ構成例を示す図である。図１７において、展開制限マスタＤＢ３３は、図１３で説明したように、各伝票に対して、パス作成不可と、セットからのパス作成不可の設定を管理するデータベースであり、伝票コード、伝票名、パス作成不可フラグ、セット展開不可フラグ等の項目を有する。
【００８３】
伝票コードは、医療行為を特定するコードであり、パス、セット、オーダ作成時等に使用される。伝票名は、伝票コードに対応付けられる名称を示し、医療行為を識別可能とする。
【００８４】
パス作成不可フラグは、パス作成不可の診療であることを示す。パス作成不可フラグに「１」が設定されている場合に伝票コードで特定される診療はパス作成不可であることを示す。設定されていない場合はパス作成可能であることを示す。
【００８５】
セット展開不可フラグは、既存セットからのパス作成が不可の診療であることを示す。セット展開不可フラグに「１」が設定されている場合に伝票コードで特定される診療は既存セットからのパス作成が不可であることを示す。設定されていない場合は既存セットからのパス作成が可能であることを示す。
【００８６】
図１８は、判断マスタＤＢのデータ構成例を示す図である。図１８において、判断マスタＤＢ３４は、図１４で説明したように、診療内容を指示した各文書内にパス作成時に入力できないデータ、患者固有データ等の、既存セットからパス作成時には値を削除する項目を管理するデータベースであり、プロセス名、セクション名、データキー、可否、備考等の項目を有する。値を削除する項目は、セットＤＢ３２の文書ＸＭＬデータにおいて＜＞タグで示される。
【００８７】
プロセス名及びセクション名によってレコードが特定され、そのレコード内で削除する値が設定されるタグ名をデータキーで指定する。可否は、セットからパス作成時の流用の可否を示す。「ＮＧ」を示す場合、パス作成時のセットからの流用が不可であることを示し、データキーで指定されるタグに設定された値を削除する項目であることが示される。備考には、例えば、「ＮＧ」を示す項目に対して「パス作成、登録禁止項目属性」等の内容が示される。
【００８８】
値を削除するとは、値自身を削除する（空欄にする）こと、又は、デフォルトの値に設定することである。
【００８９】
また、新規作成されたパスをパスマスタＤＢ３６に保存する際に行われる共通チェックにおいて、再度、判断マスタＤＢ３４を参照して、流用したセットの文書に設定されていた患者固有データがパスに混入しないようチェックしても良い。共通チェックによって新規作成したパスに患者固有データを検出した場合、「パスに患者固有項目が設定されています。」等のメッセージがエラー画面で表示される。
【００９０】
図１９は、パスマスタインデックスＤＢ及びパスマスタＤＢのデータ構成例を示す図である。図１９において、パスインデックステーブル３５は、各パスへのインデックスを管理するデータベースであり、パスＩＤ、分類Ｎｏ．、パスコード、ＳＥＱ、パス名等の項目を有する。
【００９１】
パスＩＤは、パスデータＤＢで管理されるパスを識別するための識別情報である。パスＩＤにパスを新規作成した日時を含めても良い。分類は、作成したパスが分類される部門を特定する情報である。分類によって、パスを作成したユーザの所属を示してもよい。パスコードは、各パスを一意に特定する番号を示す。ＳＥＱは、パスの連番を示す。パス名は、パス毎に与えられたパスの名称を示す。
【００９２】
また、パスデータＤＢ３６は、パス毎にスケジュールされたユーザによって指示された１以上の診療行為の内容を管理し、パスＩＤ、相対日数、ツールフラグ、パスビュー、文書ＸＭＬデータ等の項目を有する。パスＩＤは、パスを識別するための識別情報であり、パスインデックスＤＢ３５のパスＩＤによって関連付けられる。相対日数は、パスでスケジュールされた開始日（１病日目）からの日数を示す。ツールフラグは、展開した医療行為に対応するツールのフラグを管理する。
【００９３】
パスビューには、図９、図１０、及び図１２に例示する画面５０ｂで表示するスケジュールされた日毎の医療行為の内容を示すデータが格納される。同じパスＩＤのパスビューのデータが、セット展開部９から受け渡されたセット情報に相当する。文書ＸＭＬデータには、パス画面Ｇ５０を表示するためのＸＭＬの実データである。
【００９４】
上述したように、本実施例によれば、パス画面Ｇ５０からユーザによる既存のセットを選択可能とすることによって、患者毎のパスを作成する際に利用するパスのひな型を効率良く作成することができる。
【００９５】
パス画面Ｇ５０からのセット展開の際に、基準日が指定されることにより、選択されたセット内の最も古い日付を基準日に対応付け、そのセットで示される過去に行われた診療のスケジュールに従って、最も古い日付からの相対日数に応じて、パス画面Ｇ５０に表示されているカレンダ５０ｂに複数の医療行為を展開する。
【００９６】
本発明は、具体的に開示された実施例に限定されるものではなく、特許請求の範囲から逸脱することなく、種々の変形や変更が可能である。
【００９７】
以上の実施例を含む実施形態に関し、更に以下の付記を開示する。
（付記１）
入院の際のクリニカルパスの作成支援プログラムにおいて、
非入院時の患者に適用する複数の医療行為の組の入力に応じて、該複数の医療行為の組を記憶手段に記憶し、
前記記憶手段に記憶されたいずれかの医療行為の組の指定を受け付け、
受け付けた該医療行為の組を一部又は全部として取り込んだクリニカルパスを前記患者又は前記患者とは異なる患者について作成する、
処理をコンピュータに実行させることを特徴とするクリニカルパスの作成支援プログラム。
（付記２）
前記作成する際に、クリニカルパスの作成を支援するパス画面から前記医療行為の組を展開する指示を検出すると、前記記憶手段に記憶された前記医療行為の組を、該医療行為の組内でスケジュールされる該医療行為の各日付を該展開を指示する際に指定された基準日に基づいて調整してセット情報を作成し、
作成した前記セット情報を受信すると、前記パス画面に表示されたカレンダに、前記医療行為を前記基準日から開始して日毎に展開して該カレンダの表示を更新する
処理をコンピュータに実行させることを特徴とする付記１記載のパス作成支援プログラム。
（付記３）
前記パス画面に表示された前記カレンダの開始日から２病日目以降の日付への前記基準日の変更を検出すると、スケジュールされる前記医療行為の開始日を前記表示されている該カレンダの２病日目以降に変更された基準日に設定して、該スケジュールに従って該医療行為を該基準日から日毎に展開する
処理を前記コンピュータに実行させることを特徴とする付記２記載のパス作成支援プログラム。
（付記４）
前記基準日を前記医療行為のスケジュールにおける開始日に設定して、該スケジュールに従って各医療行為の日付をずらし、
前記医療行為の組から１部分を選択した展開指示を検出すると、該選択された医療行為の組の１部分を前記スケジュールに従って前記カレンダに日毎に展開する
処理を前記コンピュータに実行させることを特徴とする付記２又は３記載のパス作成支援プログラム。
（付記５）
前記記憶手段に予め格納された展開制限マスタデータベースを参照して、該展開制限マスタデータベースで管理されるクリニカルパスへの作成が不可を示す医療行為が前記セット情報に含まれる場合、前記パス画面の前記カレンダへの該医療行為の展開が不可であることを示す情報を出力する
処理を前記コンピュータに実行させる付記２乃至４のいずれか一項記載のパス作成支援プログラム。
（付記６）
前記記憶手段に予め格納された判断マスタデータベースを参照して、該判断マスタデータベースで管理される展開時に初期化対象の患者固有データが、前記セット情報に含まれる場合、該セット情報内の該患者固有データを初期化する
処理を前記コンピュータに実行させる付記２乃至５のいずれか一項記載のパス作成支援プログラム。
（付記７）
コンピュータによって実行されるパス作成支援方法であって、
入院の際のクリニカルパスの作成支援プログラムにおいて、
非入院時の患者に適用する複数の医療行為の組の入力に応じて、該複数の医療行為の組を記憶手段に記憶し、
前記記憶手段に記憶されたいずれかの医療行為の組の指定を受け付け、
受け付けた該医療行為の組を一部又は全部として取り込んだクリニカルパスを前記患者又は前記患者とは異なる患者について作成する、
ことを特徴とするパス作成支援方法。
（付記８）
非入院時の患者に適用する複数の医療行為の組の入力に応じて、該複数の医療行為の組を記憶する記憶手段と、
前記記憶手段に記憶されたいずれかの医療行為の組の指定を受け付ける受付手段と、
受け付けた該医療行為の組を一部又は全部として取り込んだクリニカルパスを前記患者又は前記患者とは異なる患者について作成する作成手段と
を有することを特徴とするパス作成支援装置。
【符号の説明】
【００９８】
６ａ          パス外観ＸＭＬデータ
６ｂ          スタイルシート
６ｃ          パス画面データ
９            セット展開部
１１          ＣＰＵ
１２          主記憶装置
１３          補助記憶装置
１４          入力装置
１５          表示装置
１６          出力装置
１７          通信Ｉ／Ｆ
１８          ドライブ
１９          記憶媒体
３１          セットインデックスＤＢ
３２          セットＤＢ
３３          展開制限マスタＤＢ
３４          判断マスタＤＢ
３５          パスマスタインデックスＤＢ
３６          パスマスタＤＢ
４０          パス作成部
４１          パス画面作成部
４２          選択部
４２ａ        第１セット展開選択部
４２ｂ        第２セット展開選択部
４３          表示更新部
１００        パス作成支援装置
１３０        記憶部
【図１】
2014085731.tif 000003
【図２】
2014085731.tif 000004
【図３】
2014085731.tif 000005
【図４】
2014085731.tif 000006
【図５】
2014085731.tif 000007
【図６】
2014085731.tif 000008
【図７】
2014085731.tif 000009
【図８】
2014085731.tif 000010
【図９】
2014085731.tif 000011
【図１０】
2014085731.tif 000012
【図１１】
2014085731.tif 000013
【図１２】
2014085731.tif 000014
【図１３】
2014085731.tif 000015
【図１４】
2014085731.tif 000016
【図１５】
2014085731.tif 000017
【図１６】
2014085731.tif 000018
【図１７】
2014085731.tif 000019
【図１８】
2014085731.tif 000020
【図１９】
2014085731.tif 000021